(57)【要約】【課題】  変調波を送信する通信システムにおいて、リニアアレーアンテナを用いて仮想平面アレーを構成し、平面アレーアンテナのデータを合成すること。【解決手段】  リニアアレーアンテナの送受信機の同期外れによる各サンプリングタイミングのずれを補正するための基準アンテナ素子を加えたアンテナ構成とすると共に、この基準アンテナによってパイロット信号を検出して位相ずれを検出し、この位相ずれに基づいて情報信号の位相を補正する。基準アンテナで検出したパイロット信号の位相ずれから情報信号の位相ずれを求め、これによって各リニアアレーアンテナの位相ずれを補正する。これによって、到来波が変調波であっても、リニアアレーアンテナを平行移動して測定することにより生じる各到来波の位相変化を補正し、正確に平面アレーのデータを合成する。【選択図】  図１
2005260328.tif 000002
【特許請求の範囲】
【請求項１】
複数のアンテナ素子を直線状に配置したリニアアレーアンテナと、当該リニアアレーアンテナの直線上から外れた位置にある少なくとも一つの基準アンテナ素子と、
前記アンテナ素子の受信信号からパイロット信号を検出するパイロット信号検出手段と、
前記リニアアレーアンテナの各アンテナ素子が受信する情報信号を検出する情報信号検出手段と、
前記パイロット信号検出手段が検出する検出時刻を異にするパイロット信号間の位相差を検出する位相差検出手段と、
前記情報信号検出手段が後の検出時刻で検出する情報信号を、前記位相差を用いて位相補正する補正手段を備えたことを特徴とする、アレーアンテナ。
【請求項２】
前記リニアアレーアンテナが備える複数のアンテナ素子の一つのアンテナ素子と基準アンテナ素子とは、アレーアンテナの移動前後において同一座標位置であり、
前記パイロット信号検出手段は、リニアアレーアンテナ中の前記一つのアンテナ素子が受信する移動前の受信信号から一方のパイロット信号を検出し、基準アンテナ素子が受信する移動後の受信信号から他方のパイロット信号を検出し、
前記位相差検出手段は、同一座標位置で検出された前記二つのパイロット信号間の位相差を移動時間に伴う位相変化として検出し、
前記位相補正手段は、前記情報信号検出手段が移動後に検出する情報信号の位相を、前記位相差分だけ補正することを特徴とする、請求項１に記載のアレーアンテナ。
【請求項３】
前記基準アンテナ素子は、前記リニアアレーアンテナの中心から前記直線と直交する方向に所定距離離れた位置に配置し、
各アンテナ素子は各位置関係を保持した状態で移動自在とし、
移動後の基準アンテナ素子の位置と、移動前のリニアアレーアンテナ中の一アンテナ素子の位置とが重なることを特徴とする、請求項１又は２に記載のアレーアンテナ。
【請求項４】
前記所定距離は、リニアアレーアンテナの素子間間隔であることを特徴とする、請求項３に記載のアレーアンテナ。
【請求項５】
前記基準アンテナ素子は固定され、前記リニアアレーアンテナは移動自在であり、
前記パイロット信号検出手段は、リニアアレーアンテナの移動時において、前記基準アンテナ素子が受信する受信信号から異なる時刻のパイロット信号を検出し、
前記位相差検出手段は、前記基準アンテナ素子の受信信号から検出された前記二つのパイロット信号間の位相差を移動時間に伴う位相変化として検出し、
前記位相補正手段は、前記情報信号検出手段が移動後に検出する情報信号の位相を、前記位相差分だけ補正することを特徴とする、請求項１に記載のアレーアンテナ。
【請求項６】
前記請求項２乃至５のいずれかのアレーアンテナと、
平面アレーデータを形成する平面アレーデータ形成手段と、
到来波を推定する到来波推定手段とを備え、
前記平面アレーデータ形成手段は、前記アレーアンテナが備える位相補正手段が移動毎に出力する出力信号をデータ配列して平面アレーデータを形成し、
前記到来波推定手段は、前記平面アレーデータ形成手段が形成したデータ配列を同時刻に平面で取得した到来波の受信信号として到来波を推定することを特徴とする、到来波推定装置。
【請求項７】
複数のアンテナ素子を直線状に配置したリニアアレーアンテナから平面アレーのデータを合成する方法であって、
パイロット信号形成手段が行う、前記リニアアレーアンテナの直線から外れた位置にある少なくとも一つの基準アンテナ素子、又は当該基準アンテナ素子とリニアアレーアンテナを構成する複数のアンテナ素子の一つのアンテナ素子が受信する受信信号からパイロット信号を検出するステップと、
情報信号検出手段が行う、前記リニアアレーアンテナの各アンテナ素子が受信する情報信号を検出するステップと、
位相差検出手段が行う、前記パイロット信号検出手段が検出する検出時刻を異にするパイロット信号間の位相差を検出するステップと、
補正手段が行う、前記情報信号検出手段が後の検出時刻で検出する情報信号を、前記位相差を用いて位相補正するステップと、
平面アレーデータ形成手段が行う、前記位相補正手段が移動毎に出力する出力信号をデータ配列して平面アレーデータを形成するステップとを備えたことを特徴とする、平面アレーのデータ合成方法。
【発明の詳細な説明】
【技術分野】
【０００１】
本発明は、アレーアンテナに関し、到来波推定に用いるアレーアンテナ、及び到来波推定装置、及びアレーアンテナで得られた信号から平面アレーで得られる信号を合成するデータ合成方法に関する。
【背景技術】
【０００２】
移動体通信や室内無線通信などの電波の伝搬状況を把握するためには、多重到来方向（マルチパス波）の分離推定が重要である。また、不法電波の発信源を特定するためにも、電波の到来方向を正確に推定することが求められる。
【０００３】
図８は電波受信状況を調査する従来方法を説明するための図である。図８（ａ）に示す方法では、パラボラアンテナ３１のような指向性の鋭いアンテナを回転装置３２等によって物理的に回転させ、角度と受信レベルを測定し、伝搬路の周波数特性や到来波の方向を推定する。（例えば、特許文献１、非特許文献１参照）
【０００４】
このアンテナを回転させる方法では、角度分解能を高めるために開口面積の大きい指向性アンテナを回転させるための駆動装置が必要となるため、システム規模が大きくなるという問題がある。
【０００５】
また、図８（ｂ）に示す方法では、無指向性アンテナ３３を直線上に等速度で移動させつつ遅延プロファイル測定を行い、その結果をフーリエ変換することで到来波のドップラースペクトルを求め、ドップラーシフトと到来方向との関係から到来方向を推定する。（例えば、非特許文献２参照）
【０００６】
この無指向性アンテナを移動させる方法では、連続的に各位置での到来方向を推定することが可能であるが、進行方向に対して対称な方向を分離することができないこと、また、角度分解能が良くない等の問題がある。
【０００７】
また、図８（ｃ）に示す方法では、平面アレーアンテナ３４を用いて、超分解能アルゴリズムと呼ばれるMUSIC法やESPRIT法により到来方向を推定する。
【０００８】
この平面アレーアンテナを用いた方法では、アンテナ素子間の相互結合の影響により処理精度が低下するという問題がある。また、Forward/Backward空間平均法を適用するためには、多くの素子数を必要とすることなどがから推定システムの経済性に点でも問題がある。
【０００９】
上記の問題を解決する方法として、図８（ｄ）に示す方法のように、リニアアレーアンテナ３５を平行移動させて仮想平面アレーを構築し、２次元離散フーリエ変換により到来方向を推定するシステムが提案されている。（例えば、非特許文献３参照）
【００１０】
この仮想平面アレーによる方法では、送受信機間をケーブルでつないで同期をとる場合や、非常に角度・安定度が良い内部発信器を送受信機に用いる場合では可能であるが、キャリア同期がとれていない状況でリニアアレーによる移動測定を行うと、移動に要する時間に応じて、送受信機のキャリア信号の位相差にずれが生じるため、仮想平面アレーの各素子において、到来方向に対応した到来波の位相が確実に推定できないという問題がある。
【００１１】
これは、測定時間が長くなると、各列のサンプリング開始のタイミングのずれが大きくなって位相ずれが大きくなり、各列のリニアアレーアンテナのデータを正しく合成することができなくなるためである。
【００１２】
【特許文献１】特開２００３−１４３０４６号公報
【非特許文献１】坂上修二，“移動通信伝搬路における９００ＭＨz帯多重路伝搬特性  振幅−周波数特性”、信学論（Ｂ），vol．J-70-Ｂ，No．12，pp．1522-2518，Dec．1987．
【非特許文献２】H.J.Thomas,T.Ohgane and M.Mizuno,”A novel antenna measurement of the angular distribution of received waves in the mobile radio environment as a function of position and delay time,”Proc.IEEE Vehicular Technology Conf,pp.546-549,May1992.
【非特許文献３】関澤信也，平和昌，神尾享秀，水野光彦，“仮想平面アレーを用いたマルチ伝搬路の時空間特性測定システムの開発”，信学会（Ｂ）vol．J-83-Ｂ，No．9，pp．1303-1313，Sep．2000
【発明の開示】
【発明が解決しようとする課題】
【００１３】
前記した仮想平面アレーによる方法が持つ問題を解決する手段として、到来波を正弦波の無変調波であると仮定した場合に、サンプリング開始時間のずれによる位相差を補正するための素子を、リニアアレーアンテナに加える構成が考えられる。リニアアレーアンテナのアンテナ素子が並ぶ直線上からはずれた座標に１素子又は複数素子を配置し、リニアアレーアンテナの平行移動の前後において同じ位置で受信し、これらの素子の受信データを基準としてデータを合成することにより、サンプリング開始時間のずれによる位相差を考慮した仮想平面アレーのデータを取得することができる。
【００１４】
これにより、MUSIC法等の超分解能アルゴリズムの適用が可能となり、高精度の到来方向の推定が可能となる。
【００１５】
しかしながら、前記基準のアンテナ素子の移動前後の重なりを利用して仮想平面アレーを構成する方法は、到来波が正弦波の無変調波であることが必要であり、変調波の場合には適用することができない。これは、変調波では位相ずれがあるため、基準のアンテナ素子の移動前後で検出する信号間の位相差を求めても、この位相差はサンプリング開始時間のずれを表すとはいえないからである。
【００１６】
例えばＤＳ−ＣＤＭＡ通信システムなど実際に運用されている通信システムでは、複数の基地局はそれぞれ独立して変調した変調波を送信している。この通信システムにおいて前記方法を適用した場合、アンテナ素子を平行移動させている間に、時間変化に加えて変調によって位相が変化するそのため、正確に平面アレーのデータを合成することができない。
【００１７】
そこで、本発明は前記した従来の問題点を解決し、変調波を送信する通信システムにおいて、リニアアレーアンテナを用いて仮想平面アレーを構成し、平面アレーアンテナのデータを合成することを目的とする。
【課題を解決するための手段】
【００１８】
本発明は、リニアアレーアンテナの送受信機の同期外れによる各サンプリングタイミングのずれを補正するための基準アンテナ素子を加えたアンテナ構成とすると共に、この基準アンテナによってパイロット信号を検出して位相ずれを検出し、この位相ずれに基づいて情報信号の位相を補正する。パイロット信号と情報信号は同時刻、同周波数で送信されるため、パイロット信号に含まれる送受信機の同期外れによる位相ずれと、情報信号に含まれる送受信機の同期外れによる位相ずれは同一である。
【００１９】
本発明は、基準アンテナで検出したパイロット信号の位相ずれから情報信号の位相ずれを求め、これによって各リニアアレーアンテナの位相ずれを補正する。これによって、到来波が変調波であっても、リニアアレーアンテナを平行移動して測定することにより生じる各到来波の位相変化を補正し、正確に平面アレーのデータを合成する。
【００２０】
本発明は、アレーアンテナ、到来波推定装置、平面アレーのデータ合成方法の各形態とすることができる。
【００２１】
本発明のアレーアンテナは、複数のアンテナ素子を直線状に配置したリニアアレーアンテナと、このリニアアレーアンテナの直線上から外れた位置にある少なくとも一つの基準アンテナ素子と、アンテナ素子の受信信号からパイロット信号を検出するパイロット信号検出手段と、リニアアレーアンテナの各アンテナ素子が受信する情報信号を検出する情報信号検出手段と、パイロット信号検出手段が検出する検出時刻を異にするパイロット信号間の位相差を検出する位相差検出手段と、情報信号検出手段が後の検出時刻で検出する情報信号を、位相差を用いて位相補正する補正手段を備えた構成とする。
【００２２】
基準アンテナ素子は、パイロット信号に含まれる送受信機の同期外れによる位相ずれを検出するために、アレーアンテナの移動前後において同座標位置においてパイロット信号を検出する。同座標位置においてパイロット信号を受信することによって、アレーアンテナの移動に伴う位置ずれから生じる位相ずれを排除し、サンプリングタイミングに伴う位相ずれのみを検出する。
【００２３】
パイロット信号検出手段は、基準アンテナ素子あるいはアレーアンテナのアンテナ素子の受信信号から異なる検出時刻でパイロット信号を検出する。このとき検出するパイロット信号は、検出時刻は異なるが検出位置は同座標位置となる。
【００２４】
位相差検出手段は、パイロット信号検出手段が検出する同座標位置における異なる検出時刻のパイロット信号について、このパイロット信号間の位相差を検出する。この位相差は、サンプリングタイミングに伴う位相ずれに対応している。
【００２５】
補正手段は、情報信号検出手段が移動の前後において、後の検出時刻で検出する情報信号に対して、位相差検出手段で検出した位相差を用いて位相補正を行う。これによって、各移動で取得された複数の情報信号は、サンプリングタイミングに伴う位相ずれが排除され、同じサンプリングタイミングで取得された情報信号となる。
【００２６】
したがって、補正された複数の情報信号は、同一サンプリングタイミングでのデータとなるため、平面アレーデータの合成が可能となる。
【００２７】
本発明のアレーアンテナは、その基準アンテナ素子の態様において、基準アンテナ素子がリニアアレーアンテナのアンテナ素子と共に移動する態様と、基準アンテナ素子をリニアアレーアンテナのアンテナ素子に対して固定する態様とすることができる。
【００２８】
基準アンテナ素子が移動する態様では、リニアアレーアンテナが備える複数のアンテナ素子の一つのアンテナ素子と基準アンテナ素子とは、アレーアンテナの移動前後において同一座標位置であり、パイロット信号検出手段は、リニアアレーアンテナ中の前記一つのアンテナ素子が受信する移動前の受信信号から一方のパイロット信号を検出し、基準アンテナ素子が受信する移動後の受信信号から他方のパイロット信号を検出し、位相差検出手段は、同一座標位置で検出された二つのパイロット信号間の位相差を移動時間に伴う位相変化として検出し、位相補正手段は、情報信号検出手段が移動後に検出する情報信号の位相を、位相差分だけ補正する。
【００２９】
この移動する基準アンテナ素子の配置はＴ字型配置とすることができる。Ｔ字型配置において、各アンテナ素子は各位置関係を保持した状態で移動自在とする。一方、基準アンテナ素子は、リニアアレーアンテナの中心から直線と直交する方向に、所定距離だけ離れた位置に配置する。この所定距離はリニアアレーアンテナの素子間間隔とすることができる。この配置によって、移動後の基準アンテナ素子の位置と、移動前のリニアアレーアンテナ中の一アンテナ素子の位置とが重なり、アレーアンテナの移動前後において同一座標位置とすることができる。
【００３０】
基準アンテナ素子の配置は、Ｔ字型配置に限らずＬ字型配置とするほか、リニアアレー以外のアンテナ素子を複数並べる構成としてもよい。
【００３１】
なお、Ｌ字型配置はアンテナ素子の配置が対称でないため、到来方向により精度に偏りが生じる可能性があることや、複数並べる構成は素子数が多くなり、平面アレーアンテナなどに比べて素子数を少なくするという利点がなくなるため、Ｔ字型配置が好適である。
【００３２】
基準アンテナ素子を固定とする態様では、リニアアレーアンテナは移動自在とし、基準アンテナ素子は固定される。パイロット信号検出手段は、リニアアレーアンテナの移動時において、基準アンテナ素子が受信する受信信号から異なる時刻のパイロット信号を検出する。位相差検出手段は、基準アンテナ素子の受信信号から検出された二つのパイロット信号間の位相差を移動時間に伴う位相変化として検出する。位相補正手段は、情報信号検出手段が移動後に検出する情報信号の位相を、位相差分だけ補正する。
【００３３】
また、本発明の到来波推定装置は、前記した本発明のアレーアンテナと、平面アレーデータを形成する平面アレーデータ形成手段と、到来波を推定する到来波推定手段とを備える。
【００３４】
平面アレーデータ形成手段は、アレーアンテナが備える位相補正手段が移動毎に出力する出力信号をデータ配列して平面アレーデータを形成する。到来波推定手段は、平面アレーデータ形成手段が形成したデータ配列を同時刻に平面で取得した到来波の受信信号として到来波を推定する。
【００３５】
また、本発明の平面アレーのデータ合成方法は、複数のアンテナ素子を直線状に配置したリニアアレーアンテナから平面アレーのデータを合成する方法であって、リニアアレーアンテナの直線から外れた位置にある少なくとも一つの基準アンテナ素子、又は当該基準アンテナ素子とリニアアレーアンテナを構成する複数のアンテナ素子の一つのアンテナ素子が受信する受信信号からパイロット信号を検出する、パイロット信号形成手段が行うステップと、リニアアレーアンテナの各アンテナ素子が受信する情報信号を検出する、情報信号検出手段が行うステップと、パイロット信号検出手段が検出する検出時刻を異にするパイロット信号間の位相差を検出する、位相差検出手段が行うステップと、情報信号検出手段が後の検出時刻で検出する情報信号を位相差を用いて位相補正する、補正手段が行うステップと、位相補正手段が移動毎に出力する出力信号をデータ配列して平面アレーデータを形成する、平面アレーデータ形成手段が行うステップとを備える。
【発明の効果】
【００３６】
以上説明したように、本発明によれば、変調波を送信する通信システムにおいて、リニアアレーアンテナを用いて仮想平面アレーを構成し、平面アレーアンテナのデータを合成することができる。
【発明を実施するための最良の形態】
【００３７】
以下、本発明の実施の形態について、図を参照しながら詳細に説明する。
【００３８】
図１〜図４は基準アンテナ素子が移動する態様であり、図５〜図７は基準アンテナ素子が固定される態様である。
【００３９】
はじめに、基準アンテナ素子が移動する態様について説明する。図１を用いて本発明のアレーアンテナの構成及び動作例について説明する。アレーアンテナ１は、複数のアンテナ素子３を直線状に配置してなるリニアアレーアンテナ２と、基準アンテナ素子４とを備える。なお、図１では、３本のアンテナ素子３によってリニアアレーアンテナ２を構成する例を示しているが、アンテナ素子の本数は任意の複数本とすることができる。
【００４０】
基準アンテナ素子４がリニアアレーアンテナ２と共に移動する態様では、基準アンテナ素子４は、リニアアレーアンテナ２のアンテナ素子３に対して所定位置に配置される。各アンテナ素子３，４は各位置関係を保持した状態で移動自在とする。
【００４１】
図１では、基準アンテナ素子４の配置例としてＴ字型配置の例を示している。Ｔ字型配置では、基準アンテナ素子４は、リニアアレーアンテナ２の中心からリニアアレーアンテナの直線と直交する方向に所定距離離れた位置に配置する。この所定距離は、例えばリニアアレーアンテナの素子間間隔とすることができる。
【００４２】
基準アンテナ素子の配置は、Ｔ字型配置に限らずＬ字型配置とするほか、リニアアレー以外のアンテナ素子を複数並べる構成としてもよいが、Ｌ字型配置はアンテナ素子の配置が対称でないため、到来方向により精度に偏りが生じる可能性があることや、複数並べる構成は素子数が多くなり、平面アレーアンテナなどに比べて素子数を少なくするという利点がなくなるため、Ｔ字型配置が好適である。
【００４３】
図１に示す例では、リニアアレーアンテナ２を構成する中央のアンテナ素子Ａから、リニアアレーアンテナ２の直線に対して直交する方向の所定距離の位置に基準アンテナ素子Ｃを配置している。
【００４４】
アレーアンテナ１は、リニアアレーアンテナ２と基準アンテナ素子４を、これらの位置関係を保持したまま移動する。
【００４５】
図１（ｂ）は、図１（ａ）からの移動状態を示している。ここでは、アレーアンテナ１は、リニアアレーアンテナ２の直線と直交する方向に、アンテナ素子Ａと基準アンテナ素子Ｃとの間隔だけ平行移動した状態を示している。
【００４６】
この移動により、移動前のアンテナ素子Ａの座標位置（図１（ａ））と、移動後の基準アンテナ素子Ｃの座標位置（図１（ｂ））が一致し、移動の前後において、アンテナ素子Ａと基準アンテナ素子Ｃとが重なることになる。図１（ｂ）では、重なる座標位置を破線で示している。
【００４７】
これにより、図１（ａ）の移動前においてアンテナ素子Ａが検出するパイロット信号と、図１（ｂ）の移動後において基準アンテナ素子Ｃが検出するパイロット信号とは、同じ座標位置におけるパイロット信号となるため、アレーアンテナ１の移動にかかわらず同じ座標位置でのパイロット信号を検出することができる。したがって、この２つのパイロット信号間の位相ずれは、サンプリングタイミングに伴う位相ずれを表すものである。
【００４８】
この位相ずれに基づいて、移動後のリニアアレーアンテナ２のアンテナ素子３（図１（ｂ）中の実線で示すアンテナ素子）によって検出された情報信号の位相を補正すると、補正された情報信号は、図１（ａ）の時点を基準時点とする位相を有する情報信号となる。なお、この基準時点をアレーアンテナ２の位置で表すと、図中（ａ）のアレーアンテナ２の位置（図１ではＰで表すものとする）となる。  
【００４９】
図１（ｃ）は、図１（ｂ）からの移動状態を示している。この移動においても、前記移動と同様に、アレーアンテナ１は、リニアアレーアンテナ２の直線と直交する方向に、アンテナ素子Ａと基準アンテナ素子Ｃとの間隔だけ移動した状態を示している。
【００５０】
この移動により、移動前のアンテナ素子Ａの座標位置（図１（ｂ））と、移動後の基準アンテナ素子Ｃの座標位置（図１（ｃ））が一致し、移動の前後において、アンテナ素子Ａと基準アンテナ素子Ｃとが重なることになる。図１（ｃ）では、重なる座標位置を破線で示している。
【００５１】
これにより、図１（ｂ）の移動前においてアンテナ素子Ａが検出するパイロット信号と、図１（ｃ）の移動後において基準アンテナ素子Ｃが検出するパイロット信号とは、同じ座標位置におけるパイロット信号となるため、アレーアンテナ１の移動にかかわらず同じ座標位置でのパイロット信号を検出することができる。したがって、この２つのパイロット信号間の位相ずれは、サンプリングタイミングに伴う位相ずれを表すものである。
【００５２】
この位相ずれ及び前回の位相ずれに基づいて、図１（ｃ）の移動後のリニアアレーアンテナ２のアンテナ素子３（図１（ｃ）中の実線で示すアンテナ素子）によって検出された情報信号の位相を補正すると、補正された情報信号は、図１（ａ）の時点を基準時点とする位相を有する情報信号となる。位置で表した場合には、Ｐで表される位置を基準位置として位相ずれが補正されることになる。
【００５３】
上記したアレーアンテナ２の移動と、位相ずれの検出及び位相ずれ補正を繰り返すことによって、図１（ｄ）に示すような平面アレー１０（図１（ｄ）中の矩形形状で示す部分）のデータを仮想的に取得することができる。
【００５４】
この平面アレー１０のデータは、図１（ａ）の時点を基準時点とする位相を有する情報信号となる。位置で表した場合には、Ｐで表される位置を基準位置として位相ずれが補正されることになる。
【００５５】
図２は、アレーアンテナ２の移動状態を説明するための図である。ここで、前記図１と同様に、Ａ，Ｂはリニアアレーアンテナ２のアンテナ素子３を表し、Ｃは基準アンテナ素子４を表している。
【００５６】
図２（ａ）は時刻ｔ＝ｔ１の時点におけるアレーアンテナを示している。ここで、アンテナ素子Ａによりパイロット信号を検出しておく。
【００５７】
次に、図２（ｂ）は時刻ｔ＝ｔ２の時点におけるアレーアンテナを示し、アレーアンテナが平行移動した状態を示している。図２（ｂ）中の実線は時刻ｔ＝ｔ２の時点におけるアレーアンテナを示し、破線は時刻ｔ＝ｔ１の時点におけるアレーアンテナを示している。
【００５８】
この平行移動により、アレーアンテナ２は、アンテナ素子Ａと基準アンテナ素子Ｃとの距離ｄだけ移動し、基準アンテナ素子Ｃは時刻ｔ＝ｔ１の時点におけるアレーアンテナＡの座標位置と同位置に移動する。ここで、基準アンテナ素子Ｃによりパイロット信号を検出すると、時刻ｔ＝ｔ１の時点で検出したアンテナ素子Ａのパイロット信号と時刻ｔ＝ｔ２の時点で検出した基準アンテナ素子Ｃのパイロット信号とは、同じ座標位置における異なる時刻でのパイロット信号となり、２つのパイロット信号間の位相ずれは、サンプリングタイミングに伴う位相ずれを表すことになる。また、この時点において、アンテナ素子Ａによりパイロット信号を検出しておく。
【００５９】
次に、図２（ｃ）は時刻ｔ＝ｔ３の時点におけるアレーアンテナを示し、アレーアンテナが平行移動した状態を示している。図２（ｃ）中の実線は時刻ｔ＝ｔ３の時点におけるアレーアンテナを示し、破線は時刻ｔ＝ｔ１，ｔ２の時点におけるアレーアンテナを示している。
【００６０】
この平行移動により、アレーアンテナ２は、アンテナ素子Ａと基準アンテナ素子Ｃとの距離ｄだけ移動し、基準アンテナ素子Ｃは時刻ｔ＝ｔ２の時点におけるアレーアンテナＡの座標位置と同位置に移動する。ここで、基準アンテナ素子Ｃによりパイロット信号を検出すると、時刻ｔ＝ｔ２の時点で検出したアンテナ素子Ａのパイロット信号と時刻ｔ＝ｔ３の時点で検出した基準アンテナ素子Ｃのパイロット信号とは、同じ座標位置における異なる時刻でのパイロット信号となり、２つのパイロット信号間の位相ずれは、時刻ｔ２とｔ３の間のサンプリングタイミングに伴う位相ずれを表すことになる。
【００６１】
さらに、前回求めた位相ずれに今回求めた位相ずれを加えることによって、時刻ｔ１を基準時点とした時刻ｔ３における位相ずれを取得することができる。
【００６２】
図３は、パイロット信号による位相ずれ検出と、位相ずれに基づく位相補正を説明するための図である。
【００６３】
図３（ａ），（ｂ）は、図２（ａ）の時刻ｔ＝ｔ１におけるアンテナ素子Ａ，Ｂのパイロット信号及び受信信号を示し、図３（ｃ），（ｄ）は、図２（ｂ）の時刻ｔ＝ｔ２における基準アンテナ素子Ｃ及びアンテナ素子Ｂのパイロット信号及び受信信号を示している。なお、各信号は実軸成分（Ｉ成分）と虚軸成分（Ｑ成分）の複素平面で表している。
【００６４】
アンテナ素子及び基準アンテナ素子が検出する受信信号は複素受信データであり、この複素受信データ中には、情報信号とパイロット信号が含まれている。
【００６５】
ある到来波に含まれるパイロット信号とチップタイミングとの同期がとれている場合には、複素平面上において図３（ａ）に示すような複素受信データが得られ、パイロット信号は実軸成分（Ｉ成分）として取得される。
【００６６】
同時刻ｔ＝ｔ１において、アンテナ素子Ｂが受信する複素受信データは、図３（ｂ）に示すように、アンテナ素子Ａのデータに対して到来方向θにより生じる位相差Φ（θ）が加わったデータが得られる。
【００６７】
なお、パイロット信号の逆拡散は、アンテナ素子ＡのデータとＰＮ符号との相関をとることで行うことができる。
【００６８】
次に、アレーアンテナを所定距離だけ平行移動して（図２（ｂ）に対応した移動）、測定し、基準アンテナ素子Ｃが受信する複素受信データについて、パイロット信号を逆拡散する。図３（ｃ）は、基準アンテナ素子Ｃの逆拡散後のパイロット信号を表している。図３（ａ）に示すパイロット信号と図３（ｃ）に示すパイロット信号は同じ座標位置でのパイロット信号であるが、サンプリングの時刻が異なるため、図３（ｃ）に示すパイロット信号はこのサンプリングタイミングのずれに基づく位相ずれμを含んでいる。
【００６９】
図３（ａ）のアンテナ素子Ａと図３（ｃ）の基準アンテナ素子Ｃのパイロット信号を比較することにより、サンプリングタイミングに基づく位相ずれμを取得することができる。
【００７０】
図３（ｄ）は、移動後のアンテナ素子Ｂの複素受信データであり、この複素受信データには、到来方向θにより生じる位相差Φ´（θ）にサンプリングタイミングのずれに基づく位相ずれμが加わった位相ずれ（Φ´（θ）＋μ）が含まれる。
【００７１】
この移動後のアンテナ素子Ｂの複素受信データから、取得した位相ずれμを用いて補正して情報信号を逆拡散すると、図３（ｅ）に示すように、到来方向θにより生じる位相差Φ´（θ）のみを含む情報信号を取得することができる。
【００７２】
上記したデータ補正を平行移動毎に行うことによって、各移動位置でのデータを取得することができ、これらデータから平面アレーのデータを合成することができる。
【００７３】
さらに、上記処理を、各パイロット信号のタイミング毎に行うことにより、全ての到来波の方向推定、及び各到来波の送信源であり基地局を特定することができる。
【００７４】
次に、データの合成について説明する。なお、ここでは、（Ｎ＋１）素子（Ｎは奇数）のＴ字型アレーアンテナを用いて、仮想平面アレーアンテナ（仮想矩形アレーアンテナ）のデータを合成する場合について説明する。
【００７５】
ある位置で、静止したＴ字型アレーアンテナにより受信し、Ａ／Ｄコンバータでサンプリングされたデータ列をｘ1とし、サンプル数をＫ、サンプリング間隔をＴとすると、データ列ｘ1は以下の式で表される。
ｘ1＝［ｘ11，ｘ12，…，ｘ1n，…，ｘ1(N+1)］
ｘ1n＝［ｘ1n（Ｔ），ｘ1n（２Ｔ），…，ｘ1n（ＫＴ）］T
【００７６】
ただし、ｘ1n（ｎ＝１，…，Ｎ＋１）は第ｎ番目の素子での観測データであり、ｘ1n（ｋＴ）（ｋ＝１，…，Ｋ）は第ｎ番目の素子でｋ番目にサンプルされたデータである。
【００７７】
次に、Ｔ字型アレーアンテナを素子間隔だけ平行移動し、その位置で静止した状態での測定データを
ｘ2＝［ｘ21，ｘ22，…，ｘ2n，…，ｘ2(N+1)］
ｘ2n＝［ｘ2n（Ｔ），ｘ2n（２Ｔ），…，ｘ2n（ＫＴ）］T
とする。
【００７８】
平行移動前後で重なる素子で観測されるｘ1,(N+1)とｘ2,(N+1)/2は同じ位置であり、到来波間の位相差も変化しないことから、ほぼ同じデータ列であるが、ｘ2,(N+1)/2は平行移動に時間がかかり、測定時刻が異なるため、ｘ1,(N+1)とは位相がずれたデータ列となる。仮想的なＭ×Ｎ矩形アレーで受信したデータを取得するには、この位相差がなくなるようにｘ1とｘ2を合成する必要がある。
【００７９】
位相ずれをなくす操作として、ｘt1,(N+1)とｘt2,(N+1)/2のデータ列を以下の式により、ずらしながら相関Ｃ（ｐ）（ｐ＝１，…，Ｋ−Ｐ）を計算する。
Ｃ（ｐ）＝ΣPi=1ｘ1,(N+1)（（ｐ01＋ｉ−１）Ｔ）ｘ*2,(N+1)/2（（ｉ＋ｐ−１）Ｔ）
【００８０】
ただし、Ｐ（Ｐ≦Ｋ）は相関を計算するデータ数、［・］*は複素共役を表し、ｐ01は到来方向推定で用いるデータの最初の数であり、通常は１である。Ｃ（ｐ）が最も大きくなるときのｐをｐ12とし、スナップショット数をＹとすると、以下の式のように、ｘ1とｘ2から到来波推定の用いるデータＸ’1とＸ’2を抽出する。
【数１】
2005260328.tif 000003
【数２】
2005260328.tif 000004
【００８１】
以上のことを、重なった素子でサンプリングしたデータごとにそれぞれ行い、ｐ(m-1),mを求め、抽出したデータを用いて以下の式のように合成する。
【数３】
2005260328.tif 000005
【数４】
2005260328.tif 000006
【００８２】
こうして得られたデータｘは、Ｔ字型アレーアンテナをずらして測定し、かつ同期などがとれていない等による位相差を補正したデータとなる。ｘは仮想的に得られたＭ×Ｎ矩形アレーのデータとなる。このｘに各行ベクトルを時間毎の入力ベクトルとして用いることで、MUSIC法やESPRIT法などによる到来方向推定を行うことができる。
【００８３】
図４は、基準アンテナ素子が移動する態様の一構成例である。アレーアンテナ１は、アンテナ素子３，４で受信した受信信号を受信処理するＲＦ部１１、Ａ／Ｄコンバータでサンプリングしたデータ列に対してパイロット信号を逆拡散するパイロット信号逆拡散回路１２（１２Ａ，１２Ｂ，１２Ｃ）、パイロット信号から位相差信号を求めるための、遅延回路１４、位相差検出回路１５、位相差加算回路１６、情報信号を逆拡散する情報信号逆拡散回路１３（１３Ａ，１３Ｂ）、パイロット信号の共役信号を求める共役回路１７（１７Ａ，１７Ｂ）、逆拡散した情報信号に共役信号を乗じて情報信号の実時間データを求める演算回路１８（１８Ａ，１８Ｂ）、情報信号の位相を位相差に基づいて補正する補正回路１９、補正した情報信号を用いて平面アレーのデータを合成する平面アレーデータ合成回路２０、合成した平面アレーデータを用いて到来波の到来方向等を推定する到来波推定回路２１を備える。
【００８４】
パイロット信号逆拡散回路１２は、リニアアレーアンテナのアンテナ素子Ａ，Ｂのパイロット信号を逆拡散するパイロット信号逆拡散回路１２Ａ，１２Ｂと、基準アンテナ素子Ｃのパイロット信号を逆拡散するパイロット信号逆拡散回路１２Ｃとを含む。なお、ここでは、リニアアレーアンテナのアンテナ素子は一例としてアンテナ素子Ａ，Ｂの２つのみを示している。
【００８５】
パイロット信号から位相差を検出する構成は、パイロット信号逆拡散回路１２Ａで逆拡散したアンテナ素子Ａのパイロット信号を遅延回路１４で遅延させたパイロット信号と、パイロット信号逆拡散回路１２Ｃで逆拡散した基準アンテナ素子Ｃのパイロット信号との位相差を、位相差検出回路１５で算出することで取得される。
【００８６】
遅延回路１４は、アレーアンテナが平行移動して、移動前のアンテナ素子Ａの座標位置に、移動後の基準アンテナ素子Ｃの座標位置が重なるまでの時間ずれを合わせるためである。位相差加算回路１６は、位相差検出回路１５で検出した位相差を順次加算して最初の基準位置からの位相差を求めるものである。
【００８７】
また、情報信号逆拡散回路１３は、リニアアレーアンテナのアンテナ素子Ａ，Ｂの情報信号を逆拡散する情報信号逆拡散回路１３Ａ，１３Ｂを含む。なお、ここでは、リニアアレーアンテナのアンテナ素子は一例としてアンテナ素子Ａ，Ｂの２つのみを示している。
【００８８】
各情報信号逆拡散回路１３Ａ，１３Ｂで逆拡散して得られた情報信号は、それぞれの演算回路１８Ａ，１８Ｂにおいて、パイロット信号の共役信号を乗じることによって実時間情報が得られる。
【００８９】
補正回路１９，１９Ｂは、実時間情報の情報信号の位相を補正する回路であり、位相差加算回路１６から対応する位相差だけ位相補正される。
【００９０】
次に、本発明の第２の形態について説明する。第２の形態は、基準アンテナ素子を固定した態様である。図５を用いて本発明のアレーアンテナの第２の形態の構成及び動作例について説明する。アレーアンテナ１は、複数のアンテナ素子３を直線状に配置してなるリニアアレーアンテナ２と、基準アンテナ素子４とを備える。なお、図５では、３本のアンテナ素子３によってリニアアレーアンテナ２を構成する例を示しているが、アンテナ素子の本数は任意の複数本とすることができる。
【００９１】
基準アンテナ素子４を固定した態様では、リニアアレーアンテナ２の各アンテナ素子３，４は各位置関係を保持した状態で移動自在とするのに対して、基準アンテナ素子５は所定位置に固定して配置される。
【００９２】
図５では、複数のアンテナ素子３からなり移動自在とするリニアアレーアンテナ２と、固定された基準アンテナ素子５の例を示している。
【００９３】
図５（ｂ）は、図５（ａ）からの移動状態を示している。ここでは、アレーアンテナ１は、固定した基準アンテナ素子５に対して、リニアアレーアンテナ２の直線と直交する方向に、所定距離だけ平行移動した状態を示している。移動する所定距離は、例えばアンテナ素子３間の素子間隔とすることができる。移動距離をアンテナ素子３間の素子間隔とすることによって、得られる仮想的な平面アレーの各アンテナ素子の間隔を一定にそろえることができる。
【００９４】
この移動により、アンテナ素子３は、移動前のアンテナ素子３の座標位置（図５（ａ））から、移動後のアンテナ素子３の座標位置（図５（ｂ））に移動するが、基準アンテナ素子５の座標位置は移動前後において不変である。なお、図５（ｂ）では、移動前の座標位置を破線で示している。
【００９５】
これにより、図５（ａ）の移動前において基準アンテナ素子Ｄが検出するパイロット信号と、図５（ｂ）の移動後において基準アンテナ素子Ｄが検出するパイロット信号とは、同じ座標位置におけるパイロット信号となるため、リニアアレーアンテナ２の移動にかかわらず同じ座標位置でのパイロット信号を検出することができる。したがって、この２つのパイロット信号間の位相ずれは、サンプリングタイミングに伴う位相ずれを表すものである。
【００９６】
この位相ずれに基づいて、移動後のリニアアレーアンテナ２のアンテナ素子３（図５（ｂ）中の実線で示すアンテナ素子）によって検出された情報信号の位相を補正すると、補正された情報信号は、図５（ａ）の時点を基準時点とする位相を有する情報信号となる。
【００９７】
図５（ｃ）は、図５（ｂ）からの移動状態を示している。この移動においても、前記移動と同様に、アレーアンテナ１は、リニアアレーアンテナ２の直線と直交する方向に、所定距離だけ移動した状態を示している。
【００９８】
この移動により、アンテナ素子３は、移動前のアンテナ素子３の座標位置（図５（ｂ））から、移動後のアンテナ素子３の座標位置（図５（ｃ））に移動するが、基準アンテナ素子５の座標位置は移動前後において不変である。なお、図５（ｃ）では、移動前の座標位置を破線で示している。
【００９９】
これにより、図５（ｂ）の移動前において基準アンテナ素子Ｄが検出するパイロット信号と、図５（ｃ）の移動後において基準アンテナ素子Ｄが検出するパイロット信号とは、同じ座標位置におけるパイロット信号となるため、リニアアレーアンテナ２の移動にかかわらず同じ座標位置でのパイロット信号を検出することができる。したがって、この２つのパイロット信号間の位相ずれは、サンプリングタイミングに伴う位相ずれを表すものである。
【０１００】
この位相ずれ及び前回の位相ずれに基づいて、図５（ｃ）の移動後のリニアアレーアンテナ２のアンテナ素子３（図５（ｃ）中の実線で示すアンテナ素子）によって検出された情報信号の位相を補正すると、補正された情報信号は、図５（ａ）の時点を基準時点とする位相を有する情報信号となる。
【０１０１】
上記したアレーアンテナ２の移動と、位相ずれの検出及び位相ずれ補正を繰り返すことによって、図５（ｄ）に示すような平面アレー１０（図５（ｄ）中の矩形形状で示す部分）のデータを仮想的に取得することができる。
【０１０２】
この平面アレー１０のデータは、図５（ａ）の時点を基準時点とする位相を有する情報信号となる。
【０１０３】
図６は、アレーアンテナ２の移動状態を説明するための図である。ここで、前記図５と同様に、Ａ，Ｂはリニアアレーアンテナ２のアンテナ素子３を表し、Ｄは基準アンテナ素子４を表している。
【０１０４】
図６（ａ）は時刻ｔ＝ｔ１の時点におけるアレーアンテナを示している。ここで、アンテナ素子Ｄによりパイロット信号を検出しておく。
【０１０５】
次に、図６（ｂ）は時刻ｔ＝ｔ２の時点におけるアレーアンテナを示し、アレーアンテナが平行移動した状態を示している。図６（ｂ）中の実線は時刻ｔ＝ｔ２の時点におけるアレーアンテナを示し、破線は時刻ｔ＝ｔ１の時点におけるアレーアンテナを示している。
【０１０６】
この平行移動により、アレーアンテナ２は所定距離ｄだけ移動するが、基準アンテナ素子Ｄは固定されているため、時刻ｔ＝ｔ１の時点における基準アンテナ素子Ｄの座標位置と同位置のままである。ここで、基準アンテナ素子Ｄによりパイロット信号を検出すると、時刻ｔ＝ｔ１の時点で検出した基準アンテナ素子Ｄのパイロット信号と時刻ｔ＝ｔ２の時点で検出した基準アンテナ素子Ｄのパイロット信号とは、同じ座標位置における異なる時刻でのパイロット信号となり、２つのパイロット信号間の位相ずれは、サンプリングタイミングに伴う位相ずれを表すことになる。
【０１０７】
次に、図６（ｃ）は時刻ｔ＝ｔ３の時点におけるアレーアンテナを示し、アレーアンテナが平行移動した状態を示している。図６（ｃ）中の実線は時刻ｔ＝ｔ３の時点におけるアレーアンテナを示し、破線は時刻ｔ＝ｔ１，ｔ２の時点におけるアレーアンテナを示している。
【０１０８】
この平行移動により、アレーアンテナ２は、所定距離ｄだけ移動し、基準アンテナ素子Ｄは時刻ｔ＝ｔ２の時点における基準アンテナ素子Ｄと同位置のままである。ここで、基準アンテナ素子Ｄによりパイロット信号を検出すると、時刻ｔ＝ｔ２の時点で検出した基準アンテナ素子Ｄのパイロット信号と時刻ｔ＝ｔ３の時点で検出した基準アンテナ素子Ｄのパイロット信号とは、同じ座標位置における異なる時刻でのパイロット信号となり、２つのパイロット信号間の位相ずれは、時刻ｔ２とｔ３の間のサンプリングタイミングに伴う位相ずれを表すことになる。
【０１０９】
さらに、前回求めた位相ずれに今回求めた位相ずれを加えることによって、時刻ｔ１を基準時点とした時刻ｔ３における位相ずれを取得することができる。
【０１１０】
図７は、基準アンテナ素子が固定される態様の一構成例である。アレーアンテナ１は、アンテナ素子３，４で受信した受信信号を受信処理するＲＦ部１１、Ａ／Ｄコンバータでサンプリングしたデータ列に対してパイロット信号を逆拡散するパイロット信号逆拡散回路１２（１２Ａ，１２Ｂ，１２Ｄ）、パイロット信号から位相差信号を求めるための、遅延回路１４、位相差検出回路１５、位相差加算回路１６、情報信号を逆拡散する情報信号逆拡散回路１３（１３Ａ，１３Ｂ）、パイロット信号の共役信号を求める共役回路１７（１７Ａ，１７Ｂ）、逆拡散した情報信号に共役信号を乗じて情報信号の実時間データを求める演算回路１８（１８Ａ，１８Ｂ）、情報信号の位相を位相差に基づいて補正する補正回路１９、補正した情報信号を用いて平面アレーのデータを合成する平面アレーデータ合成回路２０、合成した平面アレーデータを用いて到来波の到来方向等を推定する到来波推定回路２１を備える。
【０１１１】
パイロット信号逆拡散回路１２は、リニアアレーアンテナのアンテナ素子Ａ，Ｂのパイロット信号を逆拡散するパイロット信号逆拡散回路１２Ａ，１２Ｂと、基準アンテナ素子Ｄのパイロット信号を逆拡散するパイロット信号逆拡散回路１２Ｄとを含む。なお、ここでは、リニアアレーアンテナのアンテナ素子は一例としてアンテナ素子Ａ，Ｂの２つのみを示している。
【０１１２】
パイロット信号から位相差を検出する構成は、パイロット信号逆拡散回路１２Ｄで逆拡散した基準アンテナ素子Ｄのパイロット信号を遅延回路１４で遅延させたパイロット信号と、パイロット信号逆拡散回路１２Ｄで逆拡散した基準アンテナ素子Ｄのパイロット信号との位相差を、位相差検出回路１５で算出することで取得される。
【０１１３】
遅延回路１４は、アレーアンテナの平行移動の間において、移動前の基準アンテナ素子Ｄの検出と、移動後の基準アンテナ素子Ｄの検出との時間ずれを合わせるためである。位相差加算回路１６は、位相差検出回路１５で検出した位相差を順次加算して最初の基準位置からの位相差を求めるものである。
【０１１４】
また、情報信号逆拡散回路１３は、リニアアレーアンテナのアンテナ素子Ａ，Ｂの情報信号を逆拡散する情報信号逆拡散回路１３Ａ，１３Ｂを含む。なお、ここでは、リニアアレーアンテナのアンテナ素子は一例としてアンテナ素子Ａ，Ｂの２つのみを示している。
【０１１５】
各情報信号逆拡散回路１３Ａ，１３Ｂで逆拡散して得られた情報信号は、それぞれの演算回路１８Ａ，１８Ｂにおいて、パイロット信号の共役信号を乗じることによって実時間情報が得られる。
【０１１６】
補正回路１９，１９Ｂは、実時間情報の情報信号の位相を補正する回路であり、位相差加算回路１６から対応する位相差だけ位相補正される。
【産業上の利用可能性】
【０１１７】
本発明は、高層ビルによる反射、回折、散乱等によるマルチパスフェージングなどによる通信品質の劣化を防ぐための基地局の設置や、不法送信源の検出等のための到来波推定に適用することができ、MUSIC法等の超分解能アルゴリズムに適用することができる。
【図面の簡単な説明】
【０１１８】
【図１】本発明のアレーアンテナの構成及び動作例を説明するための図である。
【図２】本発明のアレーアンテナの移動状態を説明するための図である。
【図３】本発明のパイロット信号による位相ずれ検出と位相ずれに基づく位相補正を説明するための図である。
【図４】本発明の基準アンテナ素子が移動する態様の一構成例である。
【図５】本発明のアレーアンテナの第２の形態の構成及び動作例について説明するための図である。
【図６】本発明のアレーアンテナの移動状態を説明するための図である。
【図７】本発明の基準アンテナ素子が固定される態様の一構成例である。
【図８】電波受信状況を調査する従来方法を説明するための図である。
【符号の説明】
【０１１９】
１…アレーアンテナ
２…リニアアレーアンテナ
３…アンテナ素子
４…基準アンテナ素子
５…基準アンテナ素子
１０…平面アレー
１１…ＲＦ部
１２，１２Ａ，１２Ｂ，１２Ｃ…パイロット信号逆拡散回路
１３，１３Ａ，１３Ｂ…情報信号逆拡散回路
１４…遅延回路
１５…位相差検出回路
１６…位相差加算回路
１７，１７Ａ，１７Ｂ…共役回路
１８，１８Ａ，１８Ｂ…演算回路
１９，１９Ａ，１９Ｂ…補正回路
２０…平面アレーデータ合成回路
２１…到来波推定回路
３１…パラボラアンテナ
３２…回転装置
３３…無指向性アンテナ
３４…平面アレーアンテナ
３５…リニアアレーアンテナ
Ａ，Ｂ…アンテナ素子
Ｃ，Ｄ…基準アンテナ素子
【図１】
2005260328.tif 000007
【図２】
2005260328.tif 000008
【図３】
2005260328.tif 000009
【図４】
2005260328.tif 000010
【図５】
2005260328.tif 000011
【図６】
2005260328.tif 000012
【図７】
2005260328.tif 000013
【図８】
2005260328.tif 000014